(57)【要約】既に備えられた操作部のボタンや機構等を利用しつつ、術者が割り当てられた操作を混同してしまうことなく、簡便に操作を行うことができる内視鏡装置、内視鏡操作方法、及びプログラムを提供する。内視鏡装置（１０）は、スコープ部のスコープヘッドの特定の動きを示す単数又は複数の動作パターンを識別する動作パターン識別部（１０３）と、内視鏡装置の操作を指示する単数又は複数の操作情報と、スコープヘッドの単数又は複数の動作パターンと関連付けて記憶する操作記憶部（１０１）と、動作パターン識別部により識別された動作パターンに基づいて、動作パターンに対応する操作情報を操作記憶部から取得する操作情報取得部（１０５）と、操作情報取得部により取得された操作情報に対応する操作を実行する操作実行部（１０７）と、を備える。
2019202982.tif 000002
【特許請求の範囲】
【請求項１】
スコープ部のスコープヘッドの特定の動きを示す単数又は複数の動作パターンを識別する動作パターン識別部と、
内視鏡装置の操作を指示する単数又は複数の操作情報と、前記スコープヘッドの前記単数又は複数の動作パターンとを関連付けて記憶する操作記憶部と、
前記動作パターン識別部により識別された前記動作パターンに基づいて、前記動作パターンに対応する前記操作情報を前記操作記憶部から取得する操作情報取得部と、
前記操作情報取得部により取得された前記操作情報に対応する操作を実行する操作実行部と、
を備えた内視鏡装置。
【請求項２】
前記動作パターン識別部は、前記スコープヘッドに備えられた撮像部で取得された時系列画像に基づいて、前記動作パターンを識別する請求項１に記載の内視鏡装置。
【請求項３】
前記動作パターン識別部は、前記時系列画像において移動ベクトルを算出し、前記移動ベクトルに基づいて前記スコープヘッドの動作パターンを識別する請求項２に記載の内視鏡装置。
【請求項４】
前記動作パターン識別部は、前記スコープ部に備えられたセンサから出力されるセンサ情報に基づいて、前記スコープヘッドの動作パターンを識別する請求項１に記載の内視鏡装置。
【請求項５】
前記スコープ部には、加速度センサ、ジャイロセンサ、磁界センサ、曲がりセンサ、赤外線センサ、及び超音波センサのうち少なくとも一つが備えられている請求項４に記載の内視鏡装置。
【請求項６】
前記動作パターン識別部は、前記スコープ部の操作部を介して入力される入力操作情報に基づいて、前記動作パターンを識別する請求項１に記載の内視鏡装置。
【請求項７】
前記操作実行部が前記操作を実行するスコープヘッド動作入力モードと、前記操作実行部が前記操作を実行しない通常観察モードとを切り替えるモード切替部を備える請求項１から６のいずれか１項に記載の内視鏡装置。
【請求項８】
前記操作記憶部は、前記モード切替部でのモード切替操作を指示する前記操作情報と、前記スコープヘッドの前記単数又は複数の動作パターンとを関連付けて記憶する請求項７に記載の内視鏡装置。
【請求項９】
前記操作記憶部は、観察条件の調整操作に関する前記操作情報と、前記単数又は複数の動作パターンとを関連付けて記憶する請求項１から８のいずれか１項に記載の内視鏡装置。
【請求項１０】
前記操作記憶部は、承認又は不承認の入力操作と前記スコープヘッドの前記単数又は複数の動作パターンとを関連付けて記憶する請求項１から９のいずれか１項に記載の内視鏡装置。
【請求項１１】
前記操作記憶部は、前記スコープヘッドの縦方向の湾曲動作に対して前記承認の入力操作を関連付けて記憶し、前記スコープヘッドの横方向の湾曲動作に対して前記不承認の入力操作を関連づけて記憶する請求項１０に記載の内視鏡装置。
【請求項１２】
前記動作パターンは、前記スコープヘッドの前記特定の動きの回数及び速さの情報のうち少なくとも一方を含む請求項１から１１のいずれか１項に記載の内視鏡装置。
【請求項１３】
スコープ部のスコープヘッドの特定の動きを示す単数又は複数の動作パターンを識別するステップと、
内視鏡装置の操作を指示する単数又は複数の操作情報と、前記スコープヘッドの前記単数又は複数の動作パターンとを関連付けて記憶する操作記憶部から、前記動作パターンを識別するステップにより識別された前記動作パターンに基づいて、前記動作パターンに対応する前記操作情報を取得するステップと、
前記操作情報に対応する操作を実行するステップと、
を含む内視鏡操作方法。
【請求項１４】
スコープ部のスコープヘッドの特定の動きを示す単数又は複数の動作パターンを識別するステップと、
内視鏡装置の操作を指示する単数又は複数の操作情報と、前記スコープヘッドの前記単数又は複数の動作パターンとを関連付けて記憶する操作記憶部から、前記動作パターンを識別するステップにより識別された前記動作パターンに基づいて、前記動作パターンに対応する前記操作情報を取得するステップと、
前記操作情報に対応する操作を実行するステップと、
を含む内視鏡操作方法をコンピュータに実行させるプログラム。
【請求項１５】
非一時的かつコンピュータ読取可能な記録媒体であって、前記記録媒体に格納された指令がコンピュータによって読み取られた場合に、
スコープ部のスコープヘッドの特定の動きを示す単数又は複数の動作パターンを識別するステップと、
内視鏡装置の操作を指示する単数又は複数の操作情報と、前記スコープヘッドの前記単数又は複数の動作パターンとを関連付けて記憶する操作記憶部から、前記動作パターンを識別するステップにより識別された前記動作パターンに基づいて、前記動作パターンに対応する前記操作情報を取得するステップと、
前記操作情報に対応する操作を実行するステップと、
を含む内視鏡操作方法をコンピュータに実行させる記録媒体。
【発明の詳細な説明】
【技術分野】
【０００１】
本発明は、内視鏡装置、内視鏡操作方法、及びプログラムに関し、特に情報入力の手法に関する。
【背景技術】
【０００２】
内視鏡装置を使用して検査を行う場合、術者は、両手を使って複雑なスコープ操作をしながら、表示部に表示される内視鏡画像を診断する。例えば、術者は、内視鏡画像を見ながら、画像の拡大率の変更、光源の切り替え、静止画の撮影、送気、吸引、送水などの操作を行う。さらに、今後の内視鏡装置の開発によって、新たな内視鏡装置の操作が追加される可能性がある。これらの操作は、スコープの操作部に取り付けられたスイッチ等の入力デバイスに割り当てられるが、スコープの操作部に取り付けられたボタン及びアングルノブの入力デバイスの数は限られている。したがって、既存の入力デバイスに割り当てることのできる操作の数は、限られている。【０００３】
また、近年は内視鏡装置において、ＡＩ（Artificial Intelligence）によって診断又は診断を支援する技術が開発されている。術者は、ＡＩの診断結果の承認又は不承認を入力する必要がある。この場合術者は、検査の手を止めて、スコープから手を離し、マウスクリックなどにより情報を入力する必要がある。このように、スコープから手を離しての情報の入力は、検査の負担になる。【０００４】
これらの問題に対して、従来より様々な技術が提案されている。【０００５】
例えば特許文献１には、内視鏡の（スコープの）操作部のボタンの数を増やさずに、施術中に内視鏡装置のプロセッサの操作盤に触れずに多くの操作機能を利用できるようにすることを目的とした技術が提案されている。具体的に、特許文献１に記載された技術では、二段押し込み式ボタンの半押しを含む操作を検出して、通常操作モードと拡張操作モードとを切り替え、各操作モード毎に操作部のボタンに動作を割り当てる技術が記載されている。
【先行技術文献】
【特許文献】
【０００６】
【特許文献１】特開２００６−１６７１３９号公報
【発明の概要】
【発明が解決しようとする課題】
【０００７】
しかしながら、特許文献１に記載された技術では、一つのボタンに対して通常操作モードと拡張操作モードとで異なる操作が割り当てられる場合があり、術者が割り当てられた操作を混同してしまう可能性がある。また、特許文献１に記載された技術では、操作モードの切り替えを二段押し込み式ボタンの半押しの操作を検出することによって行っているので、二段押し込み式ボタンを設けなければならず、また、術者は半押し操作を行わなければならない。【０００８】
本発明はこのような事情に鑑みてなされたもので、その目的は、既に備えられた操作部のボタンや機構等を利用しつつ、術者が割り当てられた操作を混同してしまうことなく、簡便に操作を行うことができる内視鏡装置、内視鏡操作方法、及びプログラムを提供することである。
【課題を解決するための手段】
【０００９】
上記目的を達成するための本発明の一の態様である内視鏡装置は、スコープ部のスコープヘッドの特定の動きを示す単数又は複数の動作パターンを識別する動作パターン識別部と、内視鏡装置の操作を指示する単数又は複数の操作情報と、スコープヘッドの単数又は複数の動作パターンとを関連付けて記憶する操作記憶部と、動作パターン識別部により識別された動作パターンに基づいて、動作パターンに対応する操作情報を操作記憶部から取得する操作情報取得部と、操作情報取得部により取得された操作情報に対応する操作を実行する操作実行部と、を備える。【００１０】
本態様によれば、動作パターン識別部により、スコープヘッドの特定の動きを示す動作パターンが識別されて、操作実行部により、その動作パターンの操作情報に対応する操作が実行される。これにより、本態様は、既に備えられた操作部のボタンや機構等を利用しつつ、術者が割り当てられた操作を混同してしまうことがなく、簡便に操作を行うことができる。【００１１】
好ましくは、動作パターン識別部は、スコープヘッドに備えられた撮像部で取得された時系列画像に基づいて、動作パターンを識別する。【００１２】
本態様によれば、動作パターン識別部により、スコープヘッドに備えられた撮像部で取得された時系列画像に基づいて、動作パターンが識別される。これにより、本態様は、動作パターンを識別する為のセンサをスコープヘッドに設ける必要がなく、正確に動作パターンを識別することができる。【００１３】
好ましくは、動作パターン識別部は、時系列画像において移動ベクトルを算出し、移動ベクトルに基づいてスコープヘッドの動作パターンを識別する。【００１４】
本態様によれば、動作パターン識別部により、時系列画像において移動ベクトルが算出され、移動ベクトルに基づいてスコープヘッドの動作が識別されるので、正確に動作パターンを識別することができる。【００１５】
好ましくは、動作パターン識別部は、スコープ部に備えられたセンサから出力されるセンサ情報に基づいて、スコープヘッドの動作パターンを識別する。【００１６】
本態様によれば、動作パターン識別部により、スコープ部に備えられたセンサから出力されるセンサ情報に基づいて、スコープヘッドの動作パターンが識別されるので、画像処理により動作パターンを識別する処理負荷を軽減し、正確に動作パターンを識別することができる。【００１７】
好ましくは、スコープ部には、加速度センサ、ジャイロセンサ、磁界センサ、曲がりセンサ、赤外線センサ、及び超音波センサのうち少なくとも一つが備えられている。【００１８】
好ましくは、動作パターン識別部は、スコープ部の操作部を介して入力される入力操作情報に基づいて、動作パターンを識別する。【００１９】
本態様によれば、動作パターン識別部により、スコープ部の操作部を介して入力される入力操作情報に基づいて、動作パターンが識別されるので、術者の操作部の操作から直接的にスコープヘッドの動きが識別される。【００２０】
好ましくは、操作実行部が操作を実行するスコープヘッド動作入力モードと、操作実行部が操作を実行しない通常観察モードとを切り替えるモード切替部を備える。【００２１】
本態様によれば、モード切替部により、スコープヘッド動作入力モードと通常観察モードとが切り替えられる。これにより、本態様は、スコープヘッドを動かして通常の観察を行うこともできるし、スコープヘッドを動かすことにより所定の操作を入力することもできる。【００２２】
好ましくは、操作記憶部は、モード切替部でのモード切替操作を指示する操作情報と、スコープヘッドの単数又は複数の動作パターンとを関連付けて記憶する。【００２３】
本態様によれば、操作記憶部により、モード切替部でのモード切替操作を指示する操作情報と、スコープヘッドの単数又は複数の動作パターンとが関連付けて記憶される。これにより、本態様は、モード切替がスコープヘッドの動作により行われて、より簡便に操作を行うことができる。【００２４】
好ましくは、操作記憶部は、観察条件の調整操作に関する操作情報と、単数又は複数の動作パターンとを関連付けて記憶する。【００２５】
本態様によれば、操作記憶部により、観察条件の調整操作に関する操作情報と、単数又は複数の動作パターンとを関連付けて記憶される。これにより、本態様は、スコープヘッドの動作により、観察条件の調整操作に関する操作を行うことができる。【００２６】
好ましくは、操作記憶部は、承認又は不承認の入力操作とスコープヘッドの単数又は複数の動作パターンとを関連付けて記憶する。【００２７】
本態様によれば、操作記憶部により、承認又は不承認の入力操作とスコープヘッドの単数又は複数の動作パターンとが関連付けて記憶される。これにより、本態様は、承認又は不承認の入力をスコープヘッドの動作により行うことができる。【００２８】
好ましくは、操作記憶部は、スコープヘッドの縦方向の湾曲動作に対して承認の入力操作を関連付けて記憶し、スコープヘッドの横方向の湾曲動作に対して不承認の入力操作を関連づけて記憶する。【００２９】
本態様によれば、操作記憶部により、スコープヘッドの縦方向の湾曲動作に対して承認の入力操作を関連付けて記憶され、スコープヘッドの横方向の湾曲動作に対して不承認の入力操作を関連づけて記憶される。これにより、本態様は、承認の入力には人がうなずくような動作をスコープヘッドに行わせ、不承認の入力には人が首を振るような動作をスコープヘッドに行わせ、直感的な操作を行うことが可能となる。【００３０】
好ましくは、動作パターンは、スコープヘッドの特定の動きの回数及び速さの情報のうち少なくとも一方を含む。【００３１】
本発明の他の態様である内視鏡操作方法は、スコープ部のスコープヘッドの特定の動きを示す単数又は複数の動作パターンを識別するステップと、内視鏡装置の操作を指示する単数又は複数の操作情報と、スコープヘッドの単数又は複数の動作パターンとを関連付けて記憶する操作記憶部から、動作パターンを識別するステップにより識別された動作パターンに基づいて、動作パターンに対応する操作情報を取得するステップと、操作情報に対応する操作を実行するステップと、を含む。【００３２】
本発明の他の態様であるプログラムは、スコープ部のスコープヘッドの特定の動きを示す単数又は複数の動作パターンを識別するステップと、内視鏡装置の操作を指示する単数又は複数の操作情報と、スコープヘッドの単数又は複数の動作パターンとを関連付けて記憶する操作記憶部から、動作パターンを識別するステップにより識別された動作パターンに基づいて、動作パターンに対応する操作情報を取得するステップと、操作情報に対応する操作を実行するステップと、を含む内視鏡操作方法をコンピュータに実行させる。
【発明の効果】
【００３３】
本発明によれば、動作パターン識別部により、スコープヘッドの特定の動きを示す動作パターンが識別されて、操作実行部により、その動作パターンの操作情報に対応する操作が実行されるので、既に備えられた操作部のボタンや機構等を利用しつつ、術者が割り当てられた操作を混同してしまうことがなく、簡便に操作を行うことができる。
【図面の簡単な説明】
【００３４】
【図１】図１は、内視鏡装置の外観斜視図である。
【図２】図２は、内視鏡装置の電気的構成を示すブロック図である。
【図３】図３は、機能構成例を示すブロック図である。
【図４】図４は、操作記憶部の記憶構成例を示す図である。
【図５】図５は、内視鏡の操作方法を示したフロー図である。
【図６】図６は、スコープヘッドの動きに関して示す図である。
【図７】図７は、病変検出結果が示されている。
【図８】図８は、スコープヘッドの動きに関して示す図である。
【図９】図９は、病変検出結果が示されている。
【図１０】図１０は、スコープヘッドの動きに関して示す図である。
【図１１】図１１は、病変検出結果が示されている。
【図１２】図１２は、内視鏡装置の電気的構成を示すブロック図である。
【図１３】図１３は、機能構成例を示すブロック図である。
【図１４】図１４は、機能構成例を示すブロック図である。
【発明を実施するための形態】
【００３５】
以下、添付図面に従って本発明にかかる内視鏡装置、内視鏡操作方法、及びプログラムの好ましい実施の形態について説明する。
【００３６】
図１は内視鏡装置１０の外観斜視図である。
【００３７】
図１に示すように内視鏡装置１０は、大別して、被検体内の観察対象を撮像する内視鏡スコープ（ここでは軟性内視鏡）（スコープ部）１１と、光源装置１２と、プロセッサ装置１３と、液晶モニタ等の表示器１４と、を備えている。
【００３８】
光源装置１２は、通常画像の撮像用の白色光、特殊光画像の撮像用の特定の波長帯域の光等の各種の照明光を内視鏡スコープ１１へ供給する。
【００３９】
プロセッサ装置１３は、内視鏡装置１０の一形態としても機能し得るものであり、内視鏡スコープ１１により得られた画像信号に基づいて表示用又は記録用の通常画像及び／又は特殊光画像の画像データを生成する機能を有する。
【００４０】
表示器１４は、プロセッサ装置１３から入力される表示用の画像データに基づき通常画像又は特殊光画像等を表示する。
【００４１】
内視鏡スコープ１１は、被検体内に挿入される可撓性の挿入部１６と、挿入部１６の基端部に連設され、内視鏡スコープ１１の把持及び挿入部１６の操作に用いられる手元操作部（スコープ部の操作部）１７と、手元操作部１７を光源装置１２及びプロセッサ装置１３に接続するユニバーサルコード１８と、を備えている。
【００４２】
挿入部１６の先端部である挿入部先端部１６ａには、照明レンズ４２、対物レンズ４４、撮像素子（撮像部）４５などが内蔵されている（図２参照）。挿入部先端部１６ａの後端には、湾曲自在な湾曲部１６ｂが連設されている。また、湾曲部１６ｂの後端には、可撓性を有する可撓管部１６ｃが連設されている。なお、挿入部先端部１６ａ及び湾曲部１６ｂによりスコープヘッドが構成される。
【００４３】
手元操作部１７には、アングルノブ２１、操作ボタン２２、及び鉗子入口２３などが設けられている。アングルノブ２１は、湾曲部１６ｂの湾曲方向及び湾曲量を調整する際に回転操作される。操作ボタン２２は、送気、送水、吸引等の各種の操作に用いられる。鉗子入口２３は、挿入部１６内の鉗子チャネルに連通している。なお、アングルノブ２１には、湾曲部１６ｂを上下に動かす上下アングルノブ及び湾曲部１６ｂを左右に動かす左右アングルノブが設けられている。
【００４４】
ユニバーサルコード１８には、送気及び／又は送水チャンネル、信号ケーブル、及びライトガイド４０などが組み込まれている。ユニバーサルコード１８の先端部には、光源装置１２に接続されるコネクタ部２５ａと、プロセッサ装置１３に接続されるコネクタ部２５ｂとが設けられている。これにより、コネクタ部２５ａを介して光源装置１２から内視鏡スコープ１１に照明光が供給され、コネクタ部２５ｂを介して内視鏡スコープ１１により得られた画像信号がプロセッサ装置１３に入力される。
【００４５】
なお、光源装置１２には、電源ボタン、光源を点灯させる点灯ボタン、及び明るさ調節ボタン等の光源操作部１２ａが設けられ、また、プロセッサ装置１３には、電源ボタン、図示しないマウス等のポインティングデバイスからの入力を受け付ける入力部を含むプロセッサ操作部１３ａが設けられている。
【００４６】
＜第１の実施形態＞
図２は内視鏡装置１０の電気的構成を示すブロック図である。
【００４７】
図２に示すように内視鏡スコープ１１は、大別して、ライトガイド４０と、照明レンズ４２と、対物レンズ４４と、撮像素子４５と、手元操作部１７と、内視鏡制御部４７と、ＲＯＭ（Read Only Memory）４８とを有している。
【００４８】
ライトガイド４０は、大口径光ファイバ、バンドルファイバなどが用いられる。ライトガイド４０は、その入射端がコネクタ部２５ａを介して光源装置１２に挿入されており、その出射端が挿入部１６を通って挿入部先端部１６ａ内に設けられた照明レンズ４２に対向している。光源装置１２からライトガイド４０に供給された照明光は、照明レンズ４２を通して観察対象に照射される。そして、観察対象で反射及び／又は散乱した照明光は、対物レンズ４４に入射する。
【００４９】
対物レンズ４４は、入射した照明光の反射光又は散乱光（即ち、観察対象の光学像）を撮像素子４５の撮像面に結像させる。
【００５０】
撮像素子４５は、ＣＭＯＳ（complementary metal oxide semiconductor）型又はＣＣＤ（charge coupled device）型の撮像素子であり、対物レンズ４４よりも奥側の位置で対物レンズ４４に相対的に位置決め固定されている。撮像素子４５の撮像面には、光学像を光電変換する複数の光電変換素子（フォトダイオード）により構成される複数の画素が２次元配列されている。また、本例の撮像素子４５の複数の画素の入射面側には、画素毎に赤（Ｒ）、緑（Ｇ）、青（Ｂ）のカラーフィルタが配置され、これによりＲ画素、Ｇ画素、Ｂ画素が構成されている。なお、ＲＧＢのカラーフィルタのフィルタ配列は、ベイヤ配列が一般的であるが、これに限らない。
【００５１】
撮像素子４５は、対物レンズ４４により結像される光学像を電気的な画像信号に変換してプロセッサ装置１３に出力する。
【００５２】
なお、撮像素子４５がＣＭＯＳ型である場合には、Ａ／Ｄ(Analog/Digital)変換器が内蔵されており、撮像素子４５からプロセッサ装置１３に対してデジタルの画像信号が直接出力される。また、撮像素子４５がＣＣＤ型である場合には、撮像素子４５から出力される画像信号は図示しないＡ／Ｄ変換器等でデジタルな画像信号に変換された後、プロセッサ装置１３に出力される。
【００５３】
手元操作部１７は、図示しない静止画撮像ボタン、通常画像撮影モード、特殊光画像撮影モードを設定する撮影モード設定部を有している。
【００５４】
内視鏡制御部４７は、手元操作部１７での操作に応じてＲＯＭ４８等から読み出した各種プログラムやデータを逐次実行し、主として撮像素子４５の駆動を制御する。例えば、通常画像撮影モードの場合、内視鏡制御部４７は、撮像素子４５のＲ画素、Ｇ画素及びＢ画素の信号を読み出すように撮像素子４５を制御し、特殊光画像撮影モードであって、特殊光画像を取得するために照明光としてＶ−ＬＥＤ３２ａから紫色光が発光される場合、又はＢ−ＬＥＤ３２ｂから青色光が発光される場合には、これらの紫色光、青色光の波長帯域に分光感度を有する撮像素子４５のＢ画素の信号のみを読み出すように撮像素子４５を制御する。
【００５５】
また、内視鏡制御部４７は、プロセッサ装置１３のプロセッサ制御部６１との間で通信を行い、手元操作部１７での入力操作情報及びＲＯＭ４８に記憶されている内視鏡スコープ１１の種類を識別するための識別情報等をプロセッサ装置１３に送信する。
【００５６】
光源装置１２は、光源制御部３１及び光源ユニット３２を有している。光源制御部３１は、光源ユニット３２の制御と、プロセッサ装置１３のプロセッサ制御部６１との間で通信を行い、各種情報の遣り取りを行う。
【００５７】
光源ユニット３２は、例えば複数の半導体光源を有している。本実施形態では、光源ユニット３２は、Ｖ−ＬＥＤ（Violet Light Emitting Diode）３２ａ、Ｂ−ＬＥＤ（Blue Light Emitting Diode）３２ｂ、Ｇ−ＬＥＤ（Green Light Emitting Diode）３２ｃ、及びＲ−ＬＥＤ（Red Light Emitting Diode）３２ｄの４色のＬＥＤを有する。Ｖ−ＬＥＤ３２ａは、中心波長４０５ｎｍで、波長帯域３８０〜４２０ｎｍの紫色光を発光する紫色光源である。Ｂ−ＬＥＤ３２ｂは、中心波長４６０ｎｍ、波長帯域４２０〜５００ｎｍの青色光を発する青色半導体光源である。Ｇ−ＬＥＤ３２ｃは、波長帯域が４８０〜６００ｎｍに及ぶ緑色光を発する緑色半導体光源である。Ｒ−ＬＥＤ３２ｄは、中心波長６２０〜６３０ｎｍで、波長帯域が６００〜６５０ｎｍの赤色光を発光する赤色半導体光源である。なお、Ｖ−ＬＥＤ３２ａとＢ−ＬＥＤ３２ｂの中心波長は±５ｎｍから±１０ｎｍ程度の幅を有する。
【００５８】
これらの各ＬＥＤ３２ａ〜３２ｄの点灯や消灯、点灯時の発光量等は、光源制御部３１が各々に独立した制御信号を入力するによって各々に制御することができる。通常画像撮影モードの場合、光源制御部３１は、Ｖ−ＬＥＤ３２ａ、Ｂ−ＬＥＤ３２ｂ、Ｇ−ＬＥＤ３２ｃ、及びＲ−ＬＥＤ３２ｄを全て点灯させる。このため、通常画像撮影モードでは、紫色光、青色光、緑色光、及び赤色光を含む白色光が照明光として用いられる。
【００５９】
一方、特殊観察モードの場合、光源制御部３１は、Ｖ−ＬＥＤ３２ａ、Ｂ−ＬＥＤ３２ｂ、Ｇ−ＬＥＤ３２ｃ、及びＲ−ＬＥＤ３２ｄのうちのいずれか１つの光源、又は適宜組み合わせた複数の光源を点灯させ、又は複数の光源を点灯させる場合、各光源の発光量（光量比）を制御し、これにより被検体の深度の異なる複数の層の画像の撮像を可能にする。
【００６０】
各ＬＥＤ３２ａ〜３２ｄが発する各色の光は、ミラーやレンズ等で形成される光路結合部、及び絞り機構（図示せず）を介して内視鏡スコープ１１内に挿通されたライトガイド４０に入射される。
【００６１】
なお、光源装置１２の照明光は、白色光（白色の波長帯域の光又は複数の波長帯域の光）、或いは１又は複数の特定の波長帯域の光（特殊光）、或いはこれらの組み合わせなど観察目的に応じた各種波長帯域の光が選択される。特殊光の特定の波長帯域は、白色の波長帯域よりも狭い帯域である。
【００６２】
特定の波長帯域の第１例は、例えば可視域の青色帯域又は緑色帯域である。この第１例の波長帯域は、３９０ｎｍ以上４５０ｎｍ以下又は５３０ｎｍ以上５５０ｎｍ以下の波長帯域を含み、且つ第１例の光は、３９０ｎｍ以上４５０ｎｍ以下又は５３０ｎｍ以上５５０ｎｍ以下の波長帯域内にピーク波長を有する。
【００６３】
特定の波長帯域の第２例は、例えば可視域の赤色帯域である。この第２例の波長帯域は、５８５ｎｍ以上６１５ｎｍ以下又は６１０ｎｍ以上７３０ｎｍ以下の波長帯域を含み、且つ第２例の光は、５８５ｎｍ以上６１５ｎｍ以下又は６１０ｎｍ以上７３０ｎｍ以下の波長帯域内にピーク波長を有する。
【００６４】
特定の波長帯域の第３例は、酸化ヘモグロビンと還元ヘモグロビンとで吸光係数が異なる波長帯域を含み、且つ第３例の光は、酸化ヘモグロビンと還元ヘモグロビンとで吸光係数が異なる波長帯域にピーク波長を有する。この第３例の波長帯域は、４００±１０ｎｍ、４４０±１０ｎｍ、４７０±１０ｎｍ、又は６００ｎｍ以上７５０ｎｍ以下の波長帯域を含み、且つ第３例の光は、上記４００±１０ｎｍ、４４０±１０ｎｍ、４７０±１０ｎｍ、又は６００ｎｍ以上７５０ｎｍ以下の波長帯域にピーク波長を有する。
【００６５】
特定の波長帯域の第４例は、生体内の蛍光物質が発する蛍光の観察（蛍光観察）に用いられ且つこの蛍光物質を励起させる励起光の波長帯域（３９０ｎｍから４７０ｎｍ）である。
【００６６】
特定の波長帯域の第５例は、赤外光の波長帯域である。この第５例の波長帯域は、７９０ｎｍ以上８２０ｎｍ以下又は９０５ｎｍ以上９７０ｎｍ以下の波長帯域を含み、且つ第５例の光は、７９０ｎｍ以上８２０ｎｍ以下又は９０５ｎｍ以上９７０ｎｍ以下の波長帯域にピーク波長を有する。
【００６７】
プロセッサ装置１３は、プロセッサ操作部１３ａ、プロセッサ制御部６１、ＲＯＭ６２、デジタル信号処理回路（ＤＳＰ：Digital Signal Processor）６３、画像処理部６５、表示制御部６６、及び記憶部６７等を有している。
【００６８】
プロセッサ操作部１３ａは、電源ボタン、マウスにより表示器１４上で指示される座標位置及びクリック（実行指示）等の入力を受け付ける入力部等を含む。
【００６９】
プロセッサ制御部６１は、プロセッサ操作部１３ａでの入力操作情報、及び内視鏡制御部４７を介して受信した手元操作部１７での入力操作情報に応じてＲＯＭ６２から必要なプログラムやデータを読み出して逐次処理することで、プロセッサ装置１３の各部を制御するとともに、光源装置１２を制御する。なお、プロセッサ制御部６１は、図示しないインターフェースを介して接続されたキーボード等の他の外部機器から必要な指示入力を受け付けるようにしてもよい。
【００７０】
内視鏡スコープ１１（撮像素子４５）から出力される動画の各フレームの画像データを取得する画像取得部の一形態として機能するＤＳＰ６３は、プロセッサ制御部６１の制御の下、内視鏡スコープ１１から入力される動画の１フレーム分の画像データに対し、欠陥補正処理、オフセット処理、ホワイトバランス補正、ガンマ補正、及びデモザイク処理等の各種の信号処理を行い、１フレーム分の画像データを生成する。
【００７１】
画像処理部６５は、ＤＳＰ６３から画像データを入力し、入力した画像データに対して、必要に応じて色変換処理、色彩強調処理、及び構造強調処理等の画像処理を施し、観察対象が写った内視鏡画像を示す画像データを生成する。色変換処理は、画像データに対して３×３のマトリックス処理、階調変換処理、及び３次元ルックアップテーブル処理などにより色の変換を行う処理である。色彩強調処理は、色変換処理済みの画像データに対して、例えば血管と粘膜との色味に差をつける方向に色彩を強調する処理である。構造強調処理は、例えば血管やピットパターン等の観察対象に含まれる特定の組織や構造を強調する処理であり、色彩強調処理後の画像データに対して行う。
【００７２】
画像処理部６５により処理された動画の各フレームの画像データは、静止画又は動画の撮影指示があると、撮影指示された静止画又は動画として記憶部６７に記録される。
【００７３】
表示制御部６６は、入力する画像データから通常画像、特殊光画像を表示器１４に表示させるための表示用データを生成し、生成した表示用データを表示器１４に出力し、表示器１４に表示用画像を表示させる。
【００７４】
図３は、本実施形態の主な機能構成例を示すブロック図である。
【００７５】
本実施形態では、記憶部６７に操作記憶部１０１、画像処理部６５に動作パターン識別部１０３、プロセッサ制御部６１に操作情報取得部１０５、操作実行部１０７、及びモード切替部１０９が設けられている。
【００７６】
操作記憶部１０１は、スコープヘッド（挿入部先端部１６ａ及び湾曲部１６ｂ）の動作パターンと内視鏡装置１０の操作を指示する操作情報とを関連付けて記憶する。ここで、動作パターンとは、スコープヘッドの特定の動きを示すパターンであり、単数又は複数のスコープヘッドの動きにより動作パターンが構成される。また操作情報とは、プロセッサ装置１３、光源装置１２、及び内視鏡スコープ１１への動作の指令を示す情報である。
【００７７】
図４は、操作記憶部１０１の記憶構成例を示す図である。
【００７８】
操作記憶部１０１には、図４に示すように、スコープヘッドの動作パターン１２１と操作情報１２３とが関連付けられて記憶されている。スコープヘッドの動作パターン１２１とスコープ部の観察条件の調整操作に関する操作情報１２３が関連付けられて記憶されている。スコープヘッドの動作パターン１２１である「横に２往復振る」には、操作情報１２３である「光源の切替」が関連づけられて記憶されている。また、スコープヘッドの動作パターン１２１である「スコープの光軸方向に回転」には、操作情報１２３である「拡大率を変更」が関連づけられて記憶されている。なお、拡大率のように連続的な値をとるパラメータの変更の際は、回転角度を動作パターン識別部１０３で検知し、回転角度に応じて連続的な値をとるパラメータの変更を行ってもよい。
【００７９】
また、操作記憶部１０１には、後で説明をするモード切替部１０９でのモード切替操作を指示する操作情報と、スコープヘッドの動作パターンとを関連付けて記憶してもよい。
【００８０】
動作パターン識別部１０３は、スコープヘッドの特定の動きを示す動作パターンを識別する。本実施形態の動作パターン識別部１０３は、スコープヘッドに備えられた撮像素子４５で取得された時系列画像に基づいて、スコープヘッドの動きを検出して、動作パターンを識別する。具体的には、動作パターン識別部１０３は、時系列画像において移動ベクトルを算出し、算出した移動ベクトルに基づいてスコープヘッドの動きを検出する。そして、動作パターン識別部１０３は、検出したスコープヘッドの動きと操作記憶部１０１に記憶されたスコープヘッドの動作パターンとを比較し、検出したスコープヘッドの動きが操作記憶部１０１に記憶されたスコープヘッドの動作パターンとが一致するかを判定する。なお、画像処理による動作パターンの識別は、後で詳しく説明する。
【００８１】
操作情報取得部１０５は、動作パターン識別部１０３により識別された動作パターンに基づいて、動作パターンに対応する操作情報を操作記憶部１０１から取得する。具体的には、操作情報取得部１０５は、動作パターン識別部１０３で識別されたスコープヘッドの動作パターンを取得し、その動作パターンに対応する、操作記憶部１０１に記憶されている動作パターンに関連づけられた操作情報を取得する。
【００８２】
操作実行部１０７は、操作情報取得部１０５により取得された操作情報に対応する操作を実行する。具体的には、操作実行部１０７は、操作情報に応じて、プロセッサ装置１３、光源装置１２、及び／又はスコープ１１を作動させる。
【００８３】
モード切替部１０９は、操作実行部１０７が操作を実行するスコープヘッド動作入力モードと、操作実行部１０７に操作を実行しない通常観察モードとを切り替える。内視鏡装置１０には、通常観察モードとスコープヘッド動作入力モードが設けられており、モード切替部１０９により、通常観察モードとスコープヘッド動作入力モードとのモード切替が行われる。スコープヘッド動作入力モードの場合には、術者がスコープヘッドを特定の動作を行うと、その動作に割り当てて登録された操作が行われる。一方、通常観察モードの際は、術者がスコープヘッドを特定の動作を行ったとしても、割り当てられた操作は行われず、通常の観察が行われる。但し、以下で説明するモード切り替えを行う為の指令の一例の場合には、通常観察モードにおいても、特定のスコープヘッドの動きにより操作（モード切替）が実行される。
【００８４】
モード切替部１０９に、モード切り替えを行わす為の指令の入力としては、例えば手元操作部１７に備え付けられたモード切替ボタン（不図示）により指令を入力する。具体的には、モード切替ボタンの押下の度に、通常観察モードとスコープヘッド動作入力モードとを切り替える。また例えば、モード切替ボタンを押下の間、スコープヘッド動作入力モードに切り替わり、モード切替ボタンを離すと通常観察モードに切り替える。
【００８５】
さらに、モード切替部１０９にモード切り替えを行わす為の指令の入力の他の例として、スコープヘッドの動きにより入力することが考えられる。この場合、モードの切り替えの動作パターンと、他の動作パターンが重複しないようにする。例えば、モード切り替え以外の他の操作情報と関連付けられた動作パターンに「横に振る」がある場合には、モード切り替えの操作情報に関連付けられた動作パターンを「縦に振る」とする。また、モード切り替え以外の他の操作情報と関連付けられた動作パターンに「横に２回振る」がある場合には、モード切り替えの操作情報に関連付けられた動作パターンを「横に５回すばやく振る」とし、他の動作パターンと重複しないようにする。
【００８６】
図５は、内視鏡装置１０を使用した内視鏡の操作方法を示したフロー図である。
【００８７】
先ず、通常観察モードにより内視鏡装置１０で観察が行われる（ステップＳ１０）。その後、モード切替部１０９により、通常観察モードからスコープヘッド動作入力モードに変更されるが否かが判定される（ステップＳ１１）。モード変更が行われない場合には、通常観察モードが継続される。
【００８８】
一方、モード変更が行われる場合には、モード切替部１０９により、通常観察モードからスコープヘッド動作入力モードに変更が行われる（ステップＳ１２）。
【００８９】
その後、動作パターン識別部１０３により、スコープヘッドの動作パターンが識別される（ステップＳ１３）。次に、操作情報取得部１０５により、動作パターン識別部１０３で識別された動作パターンに関連した操作情報が取得される（ステップＳ１４）。その後、操作実行部１０７により、操作が実行される（ステップＳ１５）。
【００９０】
その後、モード切替部１０９により、スコープヘッド動作入力モードから通常観察モードに変更されるが否かが判定される（ステップＳ１６）。ここで通常観察モードへの変更は、例えば、スコープヘッド動作入力モードに切り替え後一定時間が経過した場合、一定回数以上の動作パターンが動作パターン識別部１０３により識別された場合に行われる。モード変更が行われない場合には、スコープヘッド動作入力モードが継続される。
【００９１】
一方、モード変更が行われる場合には、モード切替部１０９により、スコープヘッド動作入力モードから通常観察モードに変更が行われる（ステップＳ１０）。
【００９２】
以上で説明したように、本実施形態によれば、スコープヘッドの特定の動きを示す動作パターンが識別されて、その動作パターンの操作情報に対応する操作が実行される。これにより、操作部のボタンの数及び特別な機構等を増やさずに、術者が割り当てられた操作を混同してしまうことがなく、簡便に操作を行うことができる。
【００９３】
上記実施形態において、各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【００９４】
１つの処理部は、これら各種のプロセッサのうちの１つで構成されていてもよいし、同種又は異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【００９５】
さらに、これらの各種のプロセッサのハードウェア的な構造は、より具体的には、半導体素子などの回路素子を組み合わせた電気回路（circuitry）である。
【００９６】
上述の各構成及び機能は、任意のハードウェア、ソフトウェア、或いは両者の組み合わせによって適宜実現可能である。例えば、上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータに対しても本発明を適用することが可能である。
【００９７】
＜実施例＞
次に、具体的なスコープヘッドの動き及び操作の入力に関して説明する。
【００９８】
操作記憶部１０１に記憶される操作情報の一例として、承認又は不承認の入力操作がある。以下の例では、スコープヘッドの動きにより承認又は不承認の入力操作を行う例を説明する。
【００９９】
図６から図１１は、内視鏡検査中に撮影された画像をもとに、リアルタイムでＡＩによる診断を行う内視鏡システムについて説明を行う図である。この内視鏡システムに搭載されたＡＩは、内視鏡画像から病変部を検出する。図６、図８、図１０はスコープヘッドの動きに関して示す図であり、図７、図９、図１１は表示器１４に表示されたＡＩの病変検出結果が示されている。術者は、表示器１４に表示されたＡＩの病変検出結果１２５を確認して、承認、不承認、不明の入力を、スコープヘッドの特定の動きを使用して行う。
【０１００】
図６及び図７では、病変検出結果１２５に関して、承認の入力操作を行う場合が示されている。図６に示すように、スコープヘッド１３１が縦方向の湾曲動作を行い、この湾曲動作は動作パターンとして、動作パターン識別部１０３により識別される。ここで、縦方向の湾曲動作とは、上下アングルノブを利用して湾曲部１６ｂを湾曲させることにより動作させられることである。図７には、図６で示したスコープヘッドの縦方向の湾曲動作に対応する移動ベクトル１３２が示されている。動作パターン識別部１０３は、移動ベクトル１３２を解析して、スコープヘッドの動作パターンを識別する。動作パターン識別部１０３により、スコープヘッドの縦方向の湾曲動作が識別され、それに対応する承認の操作情報に基づいて、操作実行部１０７により承認の入力が行われる（図７では「はい」が選択されている）。
【０１０１】
図８及び図９では、病変検出結果１２５に関して、不承認の入力操作を行う場合が示されている。図８に示すように、スコープヘッド１３１が横方向の湾曲動作を行い、この湾曲動作は動作パターンとして、動作パターン識別部１０３により識別される。ここで、横方向の湾曲動作とは、左右アングルノブを利用して湾曲部１６ｂを湾曲させることにより動作させられることである。図９には、図８で示したスコープヘッドの横方向の湾曲動作に対応する移動ベクトル１３４が示されている。動作パターン識別部１０３は、移動ベクトル１３４を解析して、スコープヘッドの動作パターンを識別する。動作パターン識別部１０３により、スコープヘッドの横方向の湾曲動作が識別され、それに対応する不承認の操作情報に基づいて、操作実行部１０７により不承認の入力が行われる（図９では「いいえ」が選択されている）。
【０１０２】
図１０及び図１１では、病変検出結果１２５に関して、不明の入力操作を行う場合が示されている。図１０に示すように、スコープヘッド１３１が光軸方向の回転動作を行い、この回転動作は動作パターンとして、動作パターン識別部１０３により識別される。ここで、回転動作とは、手元操作部１７を回転することにより動作させられることである。図１１には、図１０で示したスコープヘッドの回転動作に対応する移動ベクトル１３６が示されている。動作パターン識別部１０３は、移動ベクトル１３６を解析して、スコープヘッドの動作パターンを識別する。動作パターン識別部１０３により、スコープヘッドの回転動作が識別され、それに対応する不明の操作情報に基づいて、操作実行部１０７により不明の入力が行われる（図９では「不明」が選択されている）。
【０１０３】
以上で説明したように、承認の入力の場合には縦方向の湾曲動作により入力が行われる。これは、人のうなずく動作を模しており、直感的な承認の動作により入力を行うことができる。また、不承認の入力の場合には横方向の湾曲動作により入力が行われる。これは、人の首を横に振る動作を模しており、直感的な不承認の動作により入力を行うことができる。また、不明の入力の場合には光軸方向の回転動作により入力が行われる。これは、人の首をかしげる動作を模しており、直感的な不明の動作により入力を行うことができる。
【０１０４】
＜画像処理による動作パターンの識別＞
次に動作パターン識別部１０３で行われる画像処理による動作パターンの識別に関して説明する。動作パターン識別部１０３は、内視鏡検査中の時系列画像を解析し、動作パターンを識別する。例えば動作パターンとしては、スコープヘッドを（１）「縦に振る」、（２）「横に振る」、（３）「回転させる」、（４）「前後に動かす」が挙げられる。
【０１０５】
動作パターン識別部１０３は、ある時刻における内視鏡画像のフレーム番号をｔとしたとき、ｔ−１番目以前の少なくとも１枚以上のフレームの画像とｔ番目のフレームの画像を比較し、その画素の移動ベクトルの方向が縦なら（１）の動作パターン、横なら（２）の動作パターン、画像の中心周りに円を書くようなベクトルなら（３）の動作パターン、中心に向かう又は中心から遠ざかるベクトルなら（４）の動作パターンとして識別する。
【０１０６】
なお、動作パターン識別部１０３が時系列画像において移動ベクトルを算出する手法は公知技術であるので、ここでは詳しい説明は省略する。例えば、時系列画像から画素の移動ベクトルを算出する方法としては、画像からコーナー、エッジなどの特徴点を抽出し追跡するアルゴリズムが考えられる。代表的なアルゴリズムとして、ＫＬＴトラッカー（Bruce D. Lucas and Takeo Kanade. An Iterative Image Registration Technique with an Application to Stereo Vision. International Joint Conference on Artificial Intelligence, pages 674-679, 1981.）などが挙げられる。
【０１０７】
＜第２の実施形態＞
次に、第２の実施形態に関して説明する。本実施形態の動作パターン識別部１０３は、センサ７０から出力されるセンサ情報に基づいて、動作パターンを識別する。
【０１０８】
図１２は、本実施形態の内視鏡装置１０の電気的構成を示すブロック図である。なお、図２で既に説明を行った箇所は、同じ符号を付し説明を省略する。
【０１０９】
本実施形態の内視鏡装置１０には、内視鏡スコープ１１にセンサ７０が備えられる。センサ７０は、内視鏡スコープ１１の適切な場所に設けられればよく、例えば、湾曲部１６ｂ又は挿入部先端部１６ａに設けられる。また、内視鏡スコープ１１には、単数のセンサ７０が設けられてもよいし、複数のセンサ７０が設けられてもよい。ここで、センサ７０の具体例としては、加速度センサ、ジャイロセンサ、磁界センサ、曲がりセンサ、赤外線センサ、及び超音波センサのうち少なくとも一つが採用される。
【０１１０】
図１３は、第２の実施形態の主な機能構成例を示すブロック図である。なお、図３で既に説明を行った箇所は同じ符号を付し、説明を省略する。
【０１１１】
本実施形態では、記憶部６７に操作記憶部１０１、プロセッサ制御部６１に、動作パターン識別部１０３、操作情報取得部１０５、操作実行部１０７、及びモード切替部１０９が設けられている。なお、プロセッサ制御部６１は、センサ７０から出力されるセンサ情報が内視鏡制御部４７を介して入力される。
【０１１２】
動作パターン識別部１０３は、スコープ部に備えられたセンサ７０から出力されるセンサ情報に基づいて、スコープヘッドの動作パターンを識別する。動作パターン識別部１０３が行うスコープ動作パターンの識別は、公知の技術により行われる。
【０１１３】
＜第３の実施形態＞
次に、第３の実施形態に関して説明する。本実施形態の動作パターン識別部１０３は、手元操作部１７を介して術者から入力される入力操作情報に基づいて、動作パターンを識別する。
【０１１４】
図１４は、第３の実施形態の主な機能構成例を示すブロック図である。なお、図３で既に説明を行った箇所は同じ符号を付し、説明を省略する。
【０１１５】
本実施形態では、記憶部６７に操作記憶部１０１、プロセッサ制御部６１に、動作パターン識別部１０３、操作情報取得部１０５、操作実行部１０７、及びモード切替部１０９が設けられている。なお、プロセッサ制御部６１には、術者の操作に基づき手元操作部１７を介して入力される入力操作情報が、内視鏡制御部４７を通して入力される。
【０１１６】
動作パターン識別部１０３は、術者が手元操作部１７を操作して入力される入力操作情報に基づいて、スコープヘッドの動作パターンを識別する。例えば、術者が手元操作部１７のアングルノブ２１に対して操作を行い、入力操作情報が入力され、その入力操作情報に基づいて動作パターン識別部１０３はスコープヘッドの動作パターンを識別する。ここで、動作パターン識別部１０３が識別する入力操作情報とは、スコープヘッドを動かすための各機構を動作させるための情報であり、この入力操作情報を解析することにより、スコープヘッドの動きを特定することができる情報である。また、アングルノブ２１に回転角センサ等を取り付けて、アングルノブ２１の角度を回転角センサで検出し、その検出した回転角に基づいて、スコープヘッドの動作パターンを識別してもよい。
【０１１７】
＜その他のスコープ動作の例＞
スコープヘッドの動作パターンとしては、スコープヘッドの様々な特定の動きを採用することができる。例えば、スコープヘッドの動かす方向のバリエーションとして、「縦に振る」、「横に振る」、「回転」、「前後移動」が考えられる。また、通常の観察時に行われないような動作パターンとしては、動作の回数（３回振るなど）、又は動作の速さ（すばやく振るなど）により、通常の動作と区別を行う。すばやく動かす具体例としては、１８０［ｄｅｇｒｅｅ／ｓｅｃｏｎｄ］以上の回転速度で、同一方向に１往復させる。また、同一動作の反復回数としては、１秒以内に同一方向に３往復させることが考えられる。さらに、複数の操作を組み合わせてもよく、その具体例としては、ボタン（光源切替等）を押しながら、９０［ｄｅｇｒｅｅ／ｓｅｃｏｎｄ］以上の速度で、一方向に１往復させるなどである。このように動作パターンは、スコープヘッドの動きだけでなく、スコープヘッドの特定の動きの回数及び速さの情報のうち少なくとも一方が含まれてもよい。
【０１１８】
以上で本発明の例に関して説明してきたが、本発明は上述した実施の形態に限定されず、本発明の精神を逸脱しない範囲で種々の変形が可能であることは言うまでもない。
【符号の説明】
【０１１９】
１０    ：内視鏡装置
１１    ：内視鏡スコープ
１２    ：光源装置
１２ａ  ：光源操作部
１３    ：プロセッサ装置
１３ａ  ：プロセッサ操作部
１４    ：表示器
１６    ：挿入部
１６ａ  ：挿入部先端部
１６ｂ  ：湾曲部
１６ｃ  ：可撓管部
１７    ：手元操作部
１８    ：ユニバーサルコード
２１    ：アングルノブ
２２    ：操作ボタン
２３    ：鉗子入口
２５ａ  ：コネクタ部
２５ｂ  ：コネクタ部
３１    ：光源制御部
３２    ：光源ユニット
３２ａ  ：Ｖ−ＬＥＤ
３２ｂ  ：Ｂ−ＬＥＤ
３２ｃ  ：Ｇ−ＬＥＤ
３２ｄ  ：Ｒ−ＬＥＤ
４０    ：ライトガイド
４２    ：照明レンズ
４４    ：対物レンズ
４５    ：撮像素子
４７    ：内視鏡制御部
４８    ：ＲＯＭ
６１    ：プロセッサ制御部
６２    ：ＲＯＭ
６５    ：画像処理部
６６    ：表示制御部
６７    ：記憶部
７０    ：センサ
１０１  ：操作記憶部
１０３  ：動作パターン識別部
１０５  ：操作情報取得部
１０７  ：操作実行部
１０９  ：モード切替部
【図１】
2019202982.tif 000003
【図２】
2019202982.tif 000004
【図３】
2019202982.tif 000005
【図４】
2019202982.tif 000006
【図５】
2019202982.tif 000007
【図６】
2019202982.tif 000008
【図７】
2019202982.tif 000009
【図８】
2019202982.tif 000010
【図９】
2019202982.tif 000011
【図１０】
2019202982.tif 000012
【図１１】
2019202982.tif 000013
【図１２】
2019202982.tif 000014
【図１３】
2019202982.tif 000015
【図１４】
2019202982.tif 000016
【手続補正書】
【提出日】令和2年11月5日(2020.11.5)
【手続補正１】
【補正対象書類名】明細書
【補正対象項目名】００５７
【補正方法】変更
【補正の内容】
【００５７】
光源ユニット３２は、例えば複数の半導体光源を有している。本実施形態では、光源ユニット３２は、Ｖ−ＬＥＤ（Violet Light Emitting Diode）３２ａ、Ｂ−ＬＥＤ（Blue Light Emitting Diode）３２ｂ、Ｇ−ＬＥＤ（Green Light Emitting Diode）３２ｃ、及びＲ−ＬＥＤ（Red Light Emitting Diode）３２ｄの４色のＬＥＤを有する。Ｖ−ＬＥＤ３２ａは、中心波長４０５ｎｍで、波長帯域３８０〜４２０ｎｍの紫色光を発光する紫色半導体光源である。Ｂ−ＬＥＤ３２ｂは、中心波長４６０ｎｍ、波長帯域４２０〜５００ｎｍの青色光を発する青色半導体光源である。Ｇ−ＬＥＤ３２ｃは、波長帯域が４８０〜６００ｎｍに及ぶ緑色光を発する緑色半導体光源である。Ｒ−ＬＥＤ３２ｄは、中心波長６２０〜６３０ｎｍで、波長帯域が６００〜６５０ｎｍの赤色光を発光する赤色半導体光源である。なお、Ｖ−ＬＥＤ３２ａとＢ−ＬＥＤ３２ｂの中心波長は±５ｎｍから±１０ｎｍ程度の幅を有する。
【手続補正２】
【補正対象書類名】明細書
【補正対象項目名】００５９
【補正方法】変更
【補正の内容】
【００５９】
一方、特殊光画像撮影モードの場合、光源制御部３１は、Ｖ−ＬＥＤ３２ａ、Ｂ−ＬＥＤ３２ｂ、Ｇ−ＬＥＤ３２ｃ、及びＲ−ＬＥＤ３２ｄのうちのいずれか１つの光源、又は適宜組み合わせた複数の光源を点灯させ、又は複数の光源を点灯させる場合、各光源の発光量（光量比）を制御し、これにより被検体の深度の異なる複数の層の画像の撮像を可能にする。
【手続補正３】
【補正対象書類名】明細書
【補正対象項目名】００８２
【補正方法】変更
【補正の内容】
【００８２】
操作実行部１０７は、操作情報取得部１０５により取得された操作情報に対応する操作を実行する。具体的には、操作実行部１０７は、操作情報に応じて、プロセッサ装置１３、光源装置１２、及び／又は内視鏡スコープ１１を作動させる。
【手続補正４】
【補正対象書類名】明細書
【補正対象項目名】００８７
【補正方法】変更
【補正の内容】
【００８７】
先ず、通常観察モードにより内視鏡装置１０で観察が行われる（ステップＳ１０）。その後、モード切替部１０９により、通常観察モードからスコープヘッド動作入力モードに切り替えされるか否かが判定される（ステップＳ１１）。モード切り替えが行われない場合には、通常観察モードが継続される。
【手続補正５】
【補正対象書類名】明細書
【補正対象項目名】００８８
【補正方法】変更
【補正の内容】
【００８８】
一方、モード切り替えが行われる場合には、モード切替部１０９により、通常観察モードからスコープヘッド動作入力モードに切り替えが行われる（ステップＳ１２）。
【手続補正６】
【補正対象書類名】明細書
【補正対象項目名】００９０
【補正方法】変更
【補正の内容】
【００９０】
その後、モード切替部１０９により、スコープヘッド動作入力モードから通常観察モードに切り替えされるか否かが判定される（ステップＳ１６）。ここで通常観察モードへの切り替えは、例えば、スコープヘッド動作入力モードに切り替え後一定時間が経過した場合、一定回数以上の動作パターンが動作パターン識別部１０３により識別された場合に行われる。モード切り替えが行われない場合には、スコープヘッド動作入力モードが継続される。
【手続補正７】
【補正対象書類名】明細書
【補正対象項目名】００９１
【補正方法】変更
【補正の内容】
【００９１】
一方、モード切り替えが行われる場合には、モード切替部１０９により、スコープヘッド動作入力モードから通常観察モードに切り替えが行われる（ステップＳ１０）。
【手続補正８】
【補正対象書類名】明細書
【補正対象項目名】０１００
【補正方法】変更
【補正の内容】
【０１００】
図６及び図７では、病変検出結果１２５に関して、承認の入力操作を行う場合が示されている。図６に示すように、スコープヘッドが縦方向の湾曲動作を行い、この湾曲動作は動作パターンとして、動作パターン識別部１０３により識別される。ここで、縦方向の湾曲動作とは、上下アングルノブを利用して湾曲部１６ｂを湾曲させることにより動作させられることである。図７には、図６で示したスコープヘッドの縦方向の湾曲動作に対応する移動ベクトル１３２が示されている。動作パターン識別部１０３は、移動ベクトル１３２を解析して、スコープヘッドの動作パターンを識別する。動作パターン識別部１０３により、スコープヘッドの縦方向の湾曲動作が識別され、それに対応する承認の操作情報に基づいて、操作実行部１０７により承認の入力が行われる（図７では「はい」が選択されている）。
【手続補正９】
【補正対象書類名】明細書
【補正対象項目名】０１０１
【補正方法】変更
【補正の内容】
【０１０１】
図８及び図９では、病変検出結果１２５に関して、不承認の入力操作を行う場合が示されている。図８に示すように、スコープヘッドが横方向の湾曲動作を行い、この湾曲動作は動作パターンとして、動作パターン識別部１０３により識別される。ここで、横方向の湾曲動作とは、左右アングルノブを利用して湾曲部１６ｂを湾曲させることにより動作させられることである。図９には、図８で示したスコープヘッドの横方向の湾曲動作に対応する移動ベクトル１３４が示されている。動作パターン識別部１０３は、移動ベクトル１３４を解析して、スコープヘッドの動作パターンを識別する。動作パターン識別部１０３により、スコープヘッドの横方向の湾曲動作が識別され、それに対応する不承認の操作情報に基づいて、操作実行部１０７により不承認の入力が行われる（図９では「いいえ」が選択されている）。
【手続補正１０】
【補正対象書類名】明細書
【補正対象項目名】０１０２
【補正方法】変更
【補正の内容】
【０１０２】
図１０及び図１１では、病変検出結果１２５に関して、不明の入力操作を行う場合が示されている。図１０に示すように、スコープヘッドが光軸方向の回転動作を行い、この回転動作は動作パターンとして、動作パターン識別部１０３により識別される。ここで、回転動作とは、手元操作部１７を回転することにより動作させられることである。図１１には、図１０で示したスコープヘッドの回転動作に対応する移動ベクトル１３６が示されている。動作パターン識別部１０３は、移動ベクトル１３６を解析して、スコープヘッドの動作パターンを識別する。動作パターン識別部１０３により、スコープヘッドの回転動作が識別され、それに対応する不明の操作情報に基づいて、操作実行部１０７により不明の入力が行われる（図９では「不明」が選択されている）。
【手続補正１１】
【補正対象書類名】明細書
【補正対象項目名】０１１２
【補正方法】変更
【補正の内容】
【０１１２】
動作パターン識別部１０３は、スコープ部に備えられたセンサ７０から出力されるセンサ情報に基づいて、スコープヘッドの動作パターンを識別する。動作パターン識別部１０３が行うスコープヘッドの動作パターンの識別は、公知の技術により行われる。
【手続補正１２】
【補正対象書類名】明細書
【補正対象項目名】０１１６
【補正方法】変更
【補正の内容】
【０１１６】
動作パターン識別部１０３は、術者が手元操作部１７を操作して入力される入力操作情報に基づいて、スコープヘッドの動作パターンを識別する。例えば、術者が手元操作部１７のアングルノブ２１に対して操作を行い、入力操作情報が入力され、その入力操作情報に基づいて動作パターン識別部１０３はスコープヘッドの動作パターンを識別する。ここで、動作パターン識別部１０３が解析する入力操作情報とは、スコープヘッドを動かすための各機構を動作させるための情報であり、この入力操作情報を解析することにより、スコープヘッドの動きを特定することができる情報である。また、アングルノブ２１に回転角センサ等を取り付けて、アングルノブ２１の角度を回転角センサで検出し、その検出した回転角に基づいて、スコープヘッドの動作パターンを識別してもよい。
【手続補正１３】
【補正対象書類名】明細書
【補正対象項目名】０１１７
【補正方法】変更
【補正の内容】
【０１１７】
＜その他のスコープヘッドの動作の例＞
スコープヘッドの動作パターンとしては、スコープヘッドの様々な特定の動きを採用することができる。例えば、スコープヘッドの動かす方向のバリエーションとして、「縦に振る」、「横に振る」、「回転」、「前後移動」が考えられる。また、通常の観察時に行われないような動作パターンとしては、動作の回数（３回振るなど）、又は動作の速さ（すばやく振るなど）により、通常の動作と区別を行う。すばやく動かす具体例としては、１８０［ｄｅｇｒｅｅ／ｓｅｃｏｎｄ］以上の回転速度で、同一方向に１往復させる。また、同一動作の反復回数としては、１秒以内に同一方向に３往復させることが考えられる。さらに、複数の操作を組み合わせてもよく、その具体例としては、ボタン（光源切替等）を押しながら、９０［ｄｅｇｒｅｅ／ｓｅｃｏｎｄ］以上の速度で、一方向に１往復させるなどである。このように動作パターンは、スコープヘッドの動きだけでなく、スコープヘッドの特定の動きの回数及び速さの情報のうち少なくとも一方が含まれてもよい。
【国際調査報告】
2019202982.tif 000017
2019202982.tif 000018